(57)【要約】【課題】表示部の機能をＬＥＤランプを使用せず実現するとともに、さらに、バックライト部を用いた表示装置において、設計度の大きい具体的な構成を用いて、バックライト部からの光を基に表示部の機能を実現する。【解決手段】液晶表示テレビジョン受信機１０は、電源が投入されると、バックライト部１４の蛍光管が点灯する。このとき、点灯した蛍光管１４ａからの光を、導光管１６ｂを介して筺体１５の前面に形成した開口に配置されたカラーフィルム１６ａにより形成された第一の表示部１６に入射する。【選択図】図１
2008107560.tif 000002
【特許請求の範囲】
【請求項１】
表示面側に配置される表示灯であって、電源が投入された際に点灯する第一の表示部と、電源がオフされた対機モードに移行した際に点灯する第二の表示部とを有する液晶表示テレビジョン受信機において、
蛍光管の端部をランプリフレクターケースの側方より貫通して配置するバックライト部と、
上記蛍光管に電源を供給する蛍光管電源供給回路と、
上記蛍光管の負荷を検出して、上記検出された負荷が過剰である場合は、蛍光管に供給する電源の供給を停止する蛍光管保護回路と、
上記ランプリフレクターケースから貫通する上記蛍光管の端部と上記表示部との間に介在して、上記蛍光管の端部からの光を導く導光管とを有し、
上記第一の表示部は、上記バックライト部に配置される蛍光管の本数と同数だで配置されるとともに、上記ランプリフレクターケースの側方から貫通する蛍光管の端部より出射した光を上記導光管を介して青色に着色されたカラーフィルムに透過させることにより、青色発光を行うことを特徴とする液晶表示テレビジョン受信機。
【請求項２】
蛍光管の端部をランプリフレクターケースの側方より貫通して配置するバックライト部を有する液晶表示装置において、
当該液晶表示装置の電源が入力されたことを表示する表示部と、
上記蛍光管の端部と上記表示部との間に介在して、上記蛍光管からの光を導く導光管とを有し、
上記表示部は、上記ランプリフレクターケースの側方から貫通する蛍光管の端部より出射する光を上記導光管を介して上記表示部に出射することにより、上記表示部を点灯することを特徴とする液晶表示装置。
【請求項３】
当該液晶表示装置は、上記蛍光管に電源を供給する電源供給手段に、上記蛍光管の負荷を検出して、上記検出された負荷が過剰である場合は、蛍光管に供給する電源の供給を停止する蛍光管保護手段を有し、
上記表示部は、上記バックライト部に配置される上記蛍光管の数と同数配置することを特徴とする請求項２に記載の液晶表示装置。
【請求項４】
上記蛍光管はＵ字管であること特徴する請求項２または請求項３のいずれか一項に記載の液晶表示装置。
【請求項５】
上記表示部は、上記蛍光管からの光を青色のカラーフィルムに透過させることにより青色に着色して発光することを特徴とする請求項２〜請求項４のいずれか一項に記載の液晶表示装置。
【発明の詳細な説明】
【技術分野】
【０００１】
映像を表示する液晶表示装置において、特に電源の投入を表示部の点灯により表示する液晶表示装置に関する。
【背景技術】
【０００２】
図５は、従来の液晶表示装置を表す外観図である。同図より、液晶表示装置１は、電源が投入されたことを視覚的に表示する第一の表示部２と、電源がオフされて待機モードであることを視覚的に表示する第二の表示部３とを有している。ここで、電源の投入とは商用電源等と端子を介してメイン電源が供給された対機モードにおいて、リモコン装置等の電源キーの操作により当該液晶表示装置を起動するためのものである。第一の表示部２は青色ダイオードにより構成され、電源オン時には供給される電源により青色発光する。また、第二の表示部３は赤色ダイオードにより構成され、待機モード時には赤色発光する。  このとき第一の表示部２に使用される青色ダイオードは消費電力が少なく、液晶表示装置１の消費電力低減のため非常に有益である。しかしながら依然値段が高くコストの面で有効でない。そのため、第一の表示部に使用される青色ダイオードをなくし、液晶表示装置の製造コストを抑える方法が開示されている。具体的には、上述した表示部の代わりに、液晶表示部の発光体からの光を流用して表示部の機能を実現する。（例えば、特許文献１参照。）。
【特許文献１】特開平７−７７６８２
【発明の開示】
【発明が解決しようとする課題】
【０００３】
上述した特許文献１の発明は、次のような課題があった。つまり、液晶表示装置の発光体として、バックライト部を使用した場合では、蛍光管からの光を基に表示部の機能を実現するには依然として改良する余地が残されていた。つまり、蛍光管の光を効果的に表示部に導くことができていなかった。特許文献１の発明では、バックライト部と表示部との間に介在する基板に開口を設け光を表示部へ導いている。しかしながら、基板に開口を設け上記開口から光を出射した場合などでは、基板側の配線の設計自由度が低くなり現実的な案とは言えない。
【０００４】
本発明は、上記課題にかんがみてなされたもので、表示部の機能をＬＥＤランプを使用せず実現するとともに、さらに、バックライト部を用いた表示装置において、設計度の大きい具体的な構成を用いて、バックライト部からの光を基に表示部の機能を実現する液晶表示装置、および上記液晶表示装置を用いた液晶表示テレビジョン受信機の提供を目的とする。
【課題を解決するための手段】
【０００５】
上記課題を解決するために、本発明の請求項２にかかる発明では、蛍光管の端部をランプリフレクターケース側方より貫通して配置するバックライト部を有する液晶表示装置において、
当該液晶表示装置の電源が入力されたことを表示する表示部と、上記蛍光管の端部と上記表示部との間に介在して、上記蛍光管からの光を導く導光管とを有し、上記表示部は、上記ランプリフレクターケースの側方から貫通する蛍光管の端部より出射する光を上記導光管を介して上記表示部に出射することにより、上記表示部を点灯する構成としている。  上記のように構成された発明では、当該液晶表示装置に電源が投入されると、バックライト部の蛍光管が点灯する。このとき、点灯した蛍光管からの光は、導光管を介して表示部に出射する。これにより、入射した光を基に表示部が点灯することとなる。そのため、表示部はＬＥＤなどを用いた自発物を必要とせず、蛍光管からの光を流用することが可能となる。また、蛍光管からの光は導光管を介して表示部に送られるため、間に介在する基板に開口を空けたりする必要がなく、また、表示部の位置を蛍光管との位置関係に依存せず、自由に配置することが可能となる。なお、ここで導光管とは、光を一定方向へ導くためのものであり、具体的な一例としてはライトパイプが上げられる。
【０００６】
また、表示部の使用目的としては、電源オン時の表示に限定されず、様々な用途に使用することが可能である。そのため、表示部の使用用途の他の一例として請求項３に記載の発明は、当該液晶表示装置は、上記蛍光管に電源を供給する電源供給手段に、上記蛍光管の負荷を検出して、上記検出された負荷が過剰である場合は、蛍光管に供給する電源の供給を遮断する蛍光管保護手段を有し、上記表示部は、上記バックライト部に配置される上記蛍光管の本数と同数配置する構成としている。
【０００７】
上記のように構成した発明では、当該液晶表示テレビジョン受信機は、蛍光管を過剰負荷から保護する蛍光管保護手段を有している。ここで、過剰負荷とは、バックライト部の複数の蛍光管の内一本でも蛍光管に異常が起こると、他の蛍光管に供給される電源の容量が増加することにより負荷が変化することを意味する。具体的には、過電圧状態や過電流状態が上げられる。蛍光管保護手段の具体的な機能としては、上述した過剰負荷を検出すると、全蛍光管に供給する電源の供給を遮断する。これにより、異常を起こした蛍光管に対応する表示部は点灯をせず、他の表示部は点灯しているが、その後、各蛍光管が過剰負荷状態に陥ると、全ての表示部は消灯する。そのため、電源の投入を停止した後、再度電源を投入すると、異常を起こした蛍光管に対応する表示部は点灯せず、異常状態にない蛍光管は一定期間消灯する。このため、異常を起こした蛍光管を判別することが可能となる。
【０００８】
そして、蛍光管の具体的な構成として請求項４に記載の発明は、上記蛍光管はＵ字管である構成としている。
上記のように構成した発明では、蛍光管としてＵ字管を使用するものに実施することができる。。
【０００９】
さらに、表示部の具体的な構成として請求項５に記載の発明は、上記表示部は、上記蛍光管からの光をカラーフィルムにより青色に着色して発光する構成としている。
上記のように構成した発明では、蛍光管から入射された光をカラーフィルムを介して青色に着色するため、簡易な構成で青色ＬＥＤを使用した場合と同じ色での発光を実現することができる。
【００１０】
また、本発明の課題を解決するための具体的な構成の一例として、請求項１に記載の発明は、表示面側に配置される表示灯であって、電源が投入された際に点灯する第一の表示部と、電源がオフされた対機モードに移行した際に点灯する第二の表示部とを有する液晶表示テレビジョン受信機において、
蛍光管の端部をランプリフレクターケース側方より貫通して配置するバックライト部と、上記蛍光管に電源を供給する蛍光管電源供給回路と、上記蛍光管の負荷を検出して、上記検出された負荷が過剰である場合は、蛍光管に供給する電源の供給を遮断する蛍光管保護回路と、上記ランプリフレクターケースから貫通する上記蛍光管の端部と上記表示部との間に介在して、上記蛍光管の端部からの光を導く導光管とを有し、上記第一の表示部は、上記バックライト部に配置される蛍光管の本数と同一数の表示灯を有するとともに、上記ランプリフレクターケースの側方から貫通する蛍光管の端部より出射した光を上記導光管を介して青色に着色されたカラーフィルムに透過させることにより、青色発光を行う構成としている。
【発明の効果】
【００１１】
以上説明したように本発明によれば、表示部の機能をＬＥＤランプを使用せず実現するとともに、さらに、バックライト部を用いた表示部において、設計度の大きい具体的な構成を用いて、バックライト部からの光を基に表示部の機能を実現することができる。
また請求項３にかかる発明によれば、異常を起こした蛍光管を判別することが可能となり、蛍光管の交換を効率的に行うことが可能となる。
そして請求項４にかかる発明によれば、蛍光管としてＵ字管を用いたものに実用することが可能となる。
さらに請求項５にかかる発明によれば、簡易な構成で青色ＬＥＤを使用した場合と同じ青色での発光を実現することができる。
さらに請求項１のような、より具体的な構成において、上述した請求項２〜請求項５の各発明と同様の作用を奏することはいうまでもない。
【発明を実施するための最良の形態】
【００１２】
本発明の液晶表示装置の具体的な説明として、上記液晶表示装置を使用する液晶表示テレビジョン受信機を基に説明する。しかしながら、本発明の液晶表示装置は上記液晶表示テレビジョン受信機に限定されるものではなく、本発明の液晶表示装置を使用するものであれば何にでも応用することができる。
【００１３】
以下、下記の順序に従って本発明の実施形態を説明する。
（１）第一の実施の形態
（１−１）液晶表示テレビジョン受信機の構成全体構成
（１−２）表示部点灯構造
（２）第一の実施の形態のまとめ
（３）第二の実施の形態
（４）第二の実施の形態のまとめ
【００１４】
（１）第一の実施の形態
（１−１）液晶表示テレビジョン受信機の構成
以下、図１〜図４を参照して、この発明に係る液晶表示テレビジョン受信機を具体化した実施の形態について説明する。液晶表示テレビジョン受信機１０は、図示しないアンテナが受信したテレビジョン放送、もしくは、入力端子を介して取得したビデオ信号を基に映像と音声を出力するものである。さらに、本発明の液晶表示テレビジョン受信機は、電源が投入されたことを後述する筺体の表示面側に配置された表示部にて視覚的に表示する構成としている。
【００１５】
図１は液晶表示テレビジョン受信機１０の構成図である。同図より、液晶表示テレビジョン受信機１０は、映像を表示するための液晶表示ディスプレイ１１と、アンテナが受信した高周波のテレビジョン放送から選択したチャンネルに対応した中間周波数のビデオ信号を抽出するチューナ部１２と、チューナ部１２が抽出したビデオ信号より、液晶表示ディスプレイ１１が映像を表示するための駆動信号を生成する制御基板１３と、液晶表示ディスプレイ１１の光源として働くバックライト部１４と、上述した各要素を収容する筺体１５とから構成している。さらに、当該液晶表示テレビジョン受信機１０に電源が投入されたことを表示する第一の表示部１６と主電源のみ投入された待機モードに移行したことを表す第二の表示部１７とを有している。
【００１６】
上述した構成により、チューナ部１２が抽出したビデオ信号を制御基板１３は、駆動信号に変換し、上記変換した駆動信号に基づいて、液晶表示ディスプレイ１１は各画素に充填された液晶物質の分子構造を変化させる。このとき、バックライト部１４は、液晶表示ディスプレイの背面から光を照射し、これにより液晶表示ディスプレイ１１の各画素は光の透過率を変化させ映像を表示する。また、液晶表示テレビジョン受信機１０に電源が投入された場合は、第一の表示部１６が点灯し、ユーザに電源が投入されたことを表示する。さらに、待機モードでは第二の表示部１７が点灯し、ユーザに待機モードであることを表す。本発明の実施の形態での、チューナ部１２は、ディジタル放送とアナログ放送とを取得可能としているが、ディジタル放送のみを取得可能であってもよい。
【００１７】
以下に本発明と関連のあるバックライト部１４の構成について具体的な説明を行う。同図より、本発明の実施の形態での、バックライト部１４は、光源としての蛍光管１４ａ１、１４ａ２、１４ａ３と、蛍光管１４ａ１、１４ａ２、１４ａ３からの光を前面側に反射するランプリフレクターケース１４ｂと、蛍光管１４ａ１、１４ａ２、１４ａ３をランプリフレクターケース１４ｂに固定するための固定部材１４ｃとから構成されている。本発明のバックライト部１４は、蛍光管としてＵ字管を三本使用する。しかしながら、蛍光管の種類としては、Ｕ字管に限定されず、直管であっても、擬似Ｕ字管であってもよい。さらに、蛍光管を使用する本数も３本に限定されるものではない。
【００１８】
ランプリフレクターケース１４ｂは、両側方に開口部１４ｂ１を有しており、蛍光管１４ａ１、１４ａ２、１４ａ３は、開口部１４ｂ１より端部を貫通させてランプリフレクターケース１４ｂ内に固定部材１４ｃを用いて固定されている。固定部材１４ｃは、ランプリフレクターケース１４ｂより突出する固定片と係合して、蛍光管１４ａ１、１４ａ２、１４ａ３をランプリフレクターケース１４ｂの所定位置に固定する。さらに、ランプリフレクターケース１４ｂは、底面に蛍光管１４ａ１、１４ａ２、１４ａ３の光を前面側に反射するためのリフレクタ１４ｄを配置しており、蛍光管１４ａ１、１４ａ２、１４ａ３から照射される光の内、後側へ照射される光をリフレクタ１４ｄにて前面側へ反射させる。  （１−２）表示部点灯構造
第一の表示部１６と第二の表示部１７は、ともに、筺体１５の前面側であって表示面の下側に配置され、ユーザに液晶表示テレビジョン受信機１０の状態を表示するための表示灯として作用する。第一の表示部１６は、電源投入時に青色発光し、ユーザに電源が投入されたことを表示する。第二の表示部１７は、赤色発光しユーザに待機モードであることを表示する。以下に表示部１７の具体的な構成を説明する。
【００１９】
図２は、第一の表示部周辺を中心とした、液晶表示テレビジョン受信機の斜視図である。同図より、筺体１５は、第一の表示部１６と第二の表示部１７とが配置される箇所に、略円形の開口１５ａ、１５ｂとを設けている。第二の表示部１７は、赤色発光を行うために赤色ＬＥＤ１７ａを使用し、上述した筺体１５の開口１５ｂに挿入して配置される。また、第一の表示部１６は、バックライト部１４を構成する蛍光管からの光を使用して青色発光を行う。そのため、第一の表示部１６は、蛍光管からの光を青色に着色するカラーフィルム１６ａと、カラーフィルムと蛍光管との間に介在して、光源からの光を導く導光管１６ｂとを有する構成である。これにより、蛍光管からの光は導光管１６ｂを介してカラーフィルム１６ａに入射し、カラーフィルム１６ａにより青色に着色されて青色発光を行う。
【００２０】
本発明の導光管１６ｂは、蛍光管１４ａからの光をカラーフィルム１６ａに導くためのものである。そのため、本発明の実施の形態での導光管１６ｂは、透明状の樹脂ないしはガラスによって形成され、屈折によって蛍光管１４ａからの光をカラーフィルム１６ａまで導く構成としている。そのため、導光管１６ｂの材質としては、反射率の高いものであることが望ましい。一例としてアクリル管が挙げられる。具体的には、同図より、カラーフィルム１６ａと蛍光管１４ａとの間に介在した導光管１６ｂは、２つの折れ部１６ｂ１、１６ｂ２にて光の屈折を行い、カラーフィルム１６ａに光を入射させる。これにより、導光管１６ｂは、蛍光管１４ａとカラーフィルム１６ａの位置関係に依存することなく、蛍光管１４ａからの光をカラーフィルム１６ａに入射させる。導光管１６ｂの形状は、図に示した形状に限定されず、蛍光管１４ａとカラーフィルム１６ａとの位置関係によって適宜設計されるものである。
【００２１】
上述した構成による、第一の表示部１６と第二の表示部１７との点灯の方法を説明する。リモコン装置により電源が投入されると、操作信号が制御基板１３に送信されバックライト部１４に電源を供給する。さらに、電源の供給を受けたバックライト部１４は、各蛍光管１４ａが発光を行うための安定化電源を生成して蛍光管１４ａの発光を行う。蛍光管１４ａが発光すると、蛍光管１４ａが出射した光は導光管１６ｂを介して、第一の表示部１６のカラーフィルム１６ａに導かれる。カラーフィルム１６ａに入射した光は、青色に着色されカラーフィルム１６ａを透過する。これにより、第一の表示部１６は青色発光を行う。
【００２２】
次に、リモコン装置により電源をオフすると、制御基板１３はバックライト部１４への電源の供給を停止する。これにより、バックライト部１４は点灯をやめ、導光管１６ｂを介したカラーフィルム１６ａへの光の入射は停止する。これにより、第一の表示部１６は青色発光を停止する。また、このとき、制御基板１３は、第二の表示部１７の点灯を指示し、第二の表示部１７の赤色発光が開始する。
【００２３】
（２）第一の実施の形態のまとめ
以上説明したように、第一の実施の形態での液晶表示テレビジョン受信機１０は、電源が投入されると、バックライト部１４の蛍光管が点灯する。このとき、点灯した蛍光管１４ａからの光は、導光管１６ｂを介して第一の表示部１６に入射する。これにより、入射した光を基に第一の表示部１６が点灯することとなる。ゆえに、第一の表示部１６は、青色ＬＥＤなどを用いた自発物を必要とせず、バックライト部１４を構成する蛍光管１４ａからの光を流用して青色発光することが可能となる。これにより、青色ＬＥＤを使用せず、第一の表示部１６を構成できるため、生産コストを下げることが可能となる。また、蛍光管１４ａからの光は導光管１６ｂを介して第一の表示部１６に送られるため、第一の表示部１６とバックライト部１４との間に介在する基板に開口を空けたり、また、第一の表示部１６の位置を蛍光管との位置関係に依存せず、自由に配置することが可能となる。
【００２４】
（３）第二の実施の形態
上述した、第一の実施の形態での液晶表示テレビジョン受信機は、電源投入時の表示を一つの表示部により実施した。しかしながら、第一の表示部１６を、バックライト部１４に使用する蛍光管１４ａの数だけ配置することにより、各蛍光管１４ａの異常を検知することが可能となる。蛍光管１４ａは、液晶表示テレビジョン受信機１０を構成する各要素の内で、一番寿命が短いものである。そのため、異常が発生した蛍光管１４ａを判別することは、蛍光管１４ａの交換を行う過程において非常に有益である。ここで、蛍光管１４ａの異常とは、寿命により蛍光管１４ａの点灯が不可能になった場合、さらには何らかの故障により蛍光管１４ａの点灯が不可能になった場合を言う。以下に第二の実施の形態での液晶表示テレビジョン受信機１０の具体的な構成を説明する。
【００２５】
第二の実施の形態での、液晶表示テレビジョン受信機１０は、制御基板１３に蛍光管保護回路を実装するものを対象としている。蛍光管保護回路は、バックライト部１４の蛍光管１４ａの過剰負荷を検出して、バックライト部１４の破損を防止するためのものである。蛍光管保護回路１３ｂ１の具体的な例としては、過電圧保護回路並びに過電流保護回路が上げられ、両回路も周知技術であるためその説明を省略する。
【００２６】
図３は、第二の実施の形態での、筺体前面に配置される第一の表示部を表す図である。同図より、第二の実施の形態での液晶表示テレビジョン受信機１０は、表示面の図中右側に、蛍光管１４ａの本数と同数の第一の表示部１６を有している。本発明の第二の実施の形態での液晶表示テレビジョン受信機１０は、バックライト部１４の蛍光管１４ａが３本であるため、第一の表示部を３つ表示面側に配置している。第一の表示部１６の数は、蛍光管１４ａの数に応じて変更されるものである。ユーザは、第一の表示部１６のいずれかが消灯した場合は、第一の表示部１６状態を基に、異常な蛍光管の判別を行う。なお、第一の表示部の構成は、第一の実施の形態と同様の構成である。
【００２７】
図４は、第二の実施の形態での第一の表示部と、制御基板との関係を表すブロック図である。同図より、制御基板１３は、取得した信号を処理する信号処理部１３ａと、商用電源から取得した電源電圧を基に、バックライト部１４を含めた各構成要素を駆動するための電源を供給する電源回路部１３ｂとに大別される。図は特に、バックライト部１４へ電源を供給する電源回路部１３ｂを中心に図示したものである。同図より、電源回路部１３ｂは、蛍光管１４ａの過剰負荷を検出する蛍光管保護回路１３ｂ１と、取得した商用電源を基に蛍光管が発光するための安定化電源を生成して供給する蛍光管電源供給回路１３ｂ２と、蛍光管保護回路１３ｂ１の検出結果を基に、蛍光管電源供給回路１３ｂ２の駆動を停止する制御部１３ｂ３とから構成されている。図中では、各蛍光管１４ａと導光管１６ｂを介して接続する第一の表示部１６を記載している。
【００２８】
ここで、蛍光管保護回路１３ｂ１の具体的例としては、所定の電圧値や電流値と、蛍光管電源供給回路１３ｂ２から取得した電流値や電圧値の比較を行うオペアンプが上げられる。また、蛍光管電源供給回路１３ｂ２の具体的な一例としては、スイッチング回路、並びにインバータ回路等が上げられる。さらに、制御部１３ｂ３の具体的な一例としては、蛍光管保護回路１３ｂ１から出力される信号を基に、蛍光管電源供給回路１３ｂ２の駆動を停止するマイコンが上げられる。また、蛍光管保護回路１３ｂ１と制御部１３ｂ３とが一つのマイコンによって実現されるものであってもよい。
【００２９】
上述した構成の液晶表示テレビジョン受信機１０にて、仮に蛍光管１４ａ１が異常状態となり消灯した場合、表示面側に配置される、第一の表示部１６ａ１のみが消灯する。また、蛍光管１４ａ１が異常状態により絶縁されて、蛍光管電源供給回路１３ｂ２からの電源は、他の蛍光管に供給され、電圧や電流の値が高くなり過剰負荷状態に陥る。蛍光管保護回路１３ｂ１は、上述した過剰負荷を検出すると、制御部１３ｂ３に過剰負荷検出信号を出力する。過剰負荷検出信号を受信した制御部１３ｂ３は、蛍光管電源供給回路１３ｂ２による安定化電源の生成を停止して、バックライト部１４全体での点灯を停止する。これにより、第一の表示部１６ａ２、１６ａ３の青色発光が停止して、全ての第一の表示部１６が消灯する。
【００３０】
次に、ユーザが筺体１５前面の全ての第一の表示部１６の消灯を確認した場合、一度リモコン装置等により、液晶表示テレビジョン受信機１０の電源を切り対機モードに以降させた後、再度電源を投入する。すると、異常状態により絶縁した蛍光管１４ａ１に対応する第一の表示部１６ａ１のみ消灯するが、他の蛍光管に対応する第一の表示部１６ａ２、１６ａ３は所定期間点灯した後、蛍光管保護回路１３ｂ１の働きにより消灯する。これにより、ユーザは、電源投入時より消灯状態である第一の表示部１６ａ１に関係する蛍光管１４ａ１が異常状態であることを判断し、蛍光管交換の際の判断材料とすることができる。
【００３１】
（４）第二の実施の形態
以上説明したように第二の実施の形態での液晶表示テレビジョン受信機は、青色ＬＥＤなどを用いた発光物を必要とせず、蛍光管１４ａからの光を流用することが可能となり、もって生産コストを低減できるとともに、以下に示す効果を発生する。つまり、バックライト部１４にて使用する各蛍光管１４ａの本数と同等の第一の表示部１６を有し、さらに各蛍光管１４ａと第一の表示部１６とを対応させることにより、蛍光管１４ａの異常が発声した場合、異常状態にある蛍光管１４ａを第一の表示部１６の点灯により判別することが可能となる。これにより、蛍光管の交換を効率よく実施することが可能となる。
【００３２】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００３３】
【図１】液晶表示テレビジョン受信機１０の構成図である。
【図２】第一の表示部周辺を中心とした、液晶表示テレビジョン受信機の斜視図である。
【図３】第二の実施の形態での、筺体前面に配置される第一の表示部を表す図である。
【図４】第二の実施の形態での第一の表示部と、制御基板との関係を表すブロック図である。
【図５】従来の液晶表示装置を表す外観図である。
【符号の説明】
【００３４】
１０…液晶表示テレビジョン受信機、１１…液晶表示ディスプレイ、１２…チューナ部、１３…制御基板、１３ａ…信号処理部、１３ｂ…電源回路部、１３ｂ１…蛍光管保護回路、１３ｂ２…蛍光管電源供給回路、１３ｂ３…制御部、１４…バックライト部、１４ａ…蛍光管、１４ａ１、１４ａ２、１４ａ３…蛍光管、１４ｂ…ランプリフレクターケース、１４ｃ…固定部材、１４ｄ…リフレクタ、１４ｂ１…開口部、１５…筺体、１５ａ、１５ｂ…開口、１６…第一の表示部、１６ａ…カラーフィルム、１６ｂ…導光管、１６ｂ１、１６ｂ２…折れ部、１７…第二の表示部
【図１】
2008107560.tif 000003
【図２】
2008107560.tif 000004
【図３】
2008107560.tif 000005
【図４】
2008107560.tif 000006
【図５】
2008107560.tif 000007